(57)【要約】      （修正有）【課題】搭乗者の頭の後部と側部の支持を与えるように調節され得るヘッドレストにおいて、クッションのような枕の利便性を搭乗者に与える。【解決手段】ヘッドレストの中央部分と同一面をなす２つの側方部材１０４、１０６は、前記中央部分から外に伸長することができる。説明の都合上、右側の構造について説明する。ボタン４０２を押すと、ピン５０４の第１の端部５１４がロック位置５１０との係合を解除され、そのまま側方部材１０６を前方への摺動と共に内側摺動壁と係合しながら摺動し、新たなロック位置５１２のスロットにロックされて、側方部材１０６を前方位置に固定する。側方部材１０４の前方移動も同様に行われる。必要性に応じて上記ロック位置を複数設けることにより、上記側方部材の伸縮可能な安楽ヘッドレストが実現される。【選択図】図５
2016128315.tif 000002
【特許請求の範囲】
【請求項１】
中央部分と、
この中央部分の両側に夫々装着され、前方に伸びること及び後方に引っ込むことが可能な２つの側方部材と、
前記中央部分に対して複数の位置に、前記側方部材の各々を他の側方部材とは独立して、ロックする、前記側方部材の各々の中のロック機構とを具備し、
前記２つの側方部材は、前記中央部分に隣接したフォーム部分を夫々有いている、乗り物のヘッドレスト。
【請求項２】
少なくとも各ロック機構は、引っ込められたロック位置又は伸ばされたロック位置を有している請求項１の乗り物のヘッドレスト。
【請求項３】
前記側方部材の各々は、ボタンを有しており、このボタンは、ロックされた位置から前記ロック機構を解放して、前記側方部材が、前方に伸びるか、後方に引っ込むかを可能にする、請求項１の乗り物のヘッドレスト。
【請求項４】
前記ロック機構は、前記ボタンに応答して、枢支点を中心として回動するピンを有している請求項３の乗り物のヘッドレスト。
【請求項５】
前記ピンが枢支点を中心として回動しているときに、ピンは、ロックされた位置から解放されて、前記側方部材が、前方に伸びるか、後方に引っ込むかを可能にする、請求項４の乗り物のヘッドレスト。
【請求項６】
前記２つの側方部材は、一定の傾斜で伸びている請求項１の乗り物のヘッドレスト。
【請求項７】
前記２つの側方部材が引っ込まれたときには、これら側方部材は、前記中央部分と同一の面となる請求項１の乗り物のヘッドレスト。
【請求項８】
前記複数の位置は、前記側方部材が前方に伸びた伸ばされた位置を含み、
前記側方部材の各々は、前記伸ばされた位置で露出され、前記中央部分に隣接した内面を有する請求項１の乗り物のヘッドレスト。
【請求項９】
前記側方部材の前記内面は、フォーム部分を夫々有している請求項８の乗り物のヘッドレスト。
【請求項１０】
前記フォーム部分は、メラミン樹脂の発泡体を有する請求項１の乗り物のヘッドレスト。
【発明の詳細な説明】
【技術分野】
【０００１】
本願は、２０１４年６月１１に出願された米国出願１４／３０２、１４８に基づくクレーム及び出願の一部継続出願である。米国出願１４／３０２、１４８は、２０１４年５月１６に出願された意匠出願２９／４９１，０９９の一部継続出願である。これら両米国特許出願１４／３０２、１４８及び米国意匠出願２９／４９１，０９９は、参照としてここに組み込まれる。  
本開示の例示的な態様は、長時間の使用の間、使用者を快適にする乗り物のヘッドレストに関する。
【背景技術】
【０００２】
自動車のような乗り物のシートには、搭乗者(使用者)を安全かつ快適にするためのヘッドレストが設けられている。このようなヘッドレストは、衝突のときに、搭乗者の頭の後方への動きを制限して、頭、首、又は背骨の怪我を防ぐ助けをすることによって、搭乗者を保護する。また、ヘッドレストは、特に、長いドライブの間に、搭乗者の頭を支える位置を与えることによって、使用者を快適にさせる。
【０００３】
ヘッドレストは、使用者をより快適にするために、特別な構成で設けられ得る。例えば、フォームのような所定の材料が、ソフトなクッション性を与えるように使用され得る。又、ヘッドレストの形状は、快適性を高めるようにデザインされ得る。このことは、例えば、米国特許Ｎｏ．７、７１７，５１７Ｂ２に見られる。しかし、米国特許Ｎｏ．７、７１７，５１７Ｂ２は、側方ウイングが、これら側方ウイングが使用されていないときには、完全には後方には戻らず、通常のヘッドレストの外観を呈しない欠点がある。
【発明の概要】
【０００４】
本開示は、関連技術での発行物に注意するようにデザインされている。特に、本開示の例示的な実施の形態に係わるヘッドレストは、搭乗者の頭の後部と側部との支持を与えるように調節され得るクッションのような枕の便利性を搭乗者に与える。このような更なる支持は、長いドライブの間、搭乗者に特別な快適性を与える。
【０００５】
この乗り物のヘッドレストは、中央部分と、この中央部分の両側に夫々装着され、前方に伸びること及び後方に引っ込むことが可能な２つの側方部材と、前記中央部分に対して複数の位置に、前記側方部材の各々を他の側方部材とは独立して、ロックする、前記側方部材の各々の中のロック機構とを具備している。
【図面の簡単な説明】
【０００６】
【図１】図１は、一例に係わる伸縮可能な安楽ヘッドレストアッセンブリの正面図である。
【図２】図２は、一例に係わる伸縮可能な安楽ヘッドレストアッセンブリの上面図である。
【図３】図３は、一例に係わる伸縮可能な安楽ヘッドレストアッセンブリの後面図である。
【図４】図４は、一例に係わる伸縮可能な安楽ヘッドレストアッセンブリの側面図である。
【図５】図５は、一例に係わる伸縮可能な安楽ヘッドレストアッセンブリの上断面図である。
【図６】図６は、一例に係わる、伸縮可能な安楽ヘッドレストアッセンブリの正面図である。
【図７】図７は、側方部材が伸ばされた位置にある、一例に係わる伸縮可能な安楽ヘッドレストアッセンブリの上面図である。
【図８】図８は、側方部材が除去された、一例に係わる伸縮可能な安楽ヘッドレストアッセンブリの中央部分の側面図である。
【図９】図９は、一例に係わる伸縮可能な安楽ヘッドレストアッセンブリの側方部材の側面図である。
【発明を実施するための形態】
【０００７】
幾つかの図において類似又は対応した部品は、同じ参照符号を付した図面を以下に参照する。更に、ここで使用されている"a"、"an"等は、他のことが記載されていなければ、"one or more"を意味している。
【０００８】
図１乃至９は、乗り物のシートのための伸縮可能な安楽ヘッドレストの種々の状態を示している。ここで、乗り物は、自動車に例示された陸上の乗り物である。しかし、本開示は、スポーツ汎用車、ピックアップトラック、商業車、飛行機、列車等の類似の乗り物に、これらに限定されるものではないが、適用可能である。
【０００９】
図１は、一実施の形態に係わる伸縮可能な安楽ヘッドレスト１００の、引っ込められた位置での正面図である。このヘッドレスト１００は、中央部分１０２と、２つの側方部材１０４，１０６とを有している。この引っ込められた位置で、２つの側方部材１０４，１０６は、前記中央部分１０２と同一面をなしている。これら側方部材は、中央部分１０２の前面から外に側方部材１０４，１０６が伸びるように使用者により操作され得る。
【００１０】
図２は、一実施の形態に係わる伸縮可能な安楽ヘッドレスト１００の、引っ込められた位置での上面図である。中央部分１０２の側辺２０２，２０４は、中央部分１０２の前辺２０６から中央部分１０２の後辺２０８に向かって傾斜されている。２つの側方部材１０４，１０６の対応した内側の側辺２１０、２１２は、前記側辺２０２，２０４と同じ角度で傾斜されている。かくして、中央部分１０２の前記前辺２０６の幅Ｗ１は、中央部分１０２の前記後辺２０８の幅Ｗ２よりも広くなっている。中央部分１０２の傾斜された側辺２０２，２０４は、側方部材が伸ばされたときに、側方部材１０４，１０６の各度付けされた位置を夫々与える。中央部分１０２の傾斜された側辺の角度は、一定である。図に示されている角度は、単に、可能な実施の形態を示しており、他を除外するものではない。中央部分１０２の傾斜された側辺の角度は、如何なる角度でも良い。
【００１１】
図３は、一実施の形態に係わる伸縮可能な安楽ヘッドレスト１００の、引っ込められた位置での後面図である。中央部分１０２は、ヘッドレストの後辺２０８で、ヘッドレストの前辺２０６よりも狭い幅を有している。
【００１２】
図４は、一実施の形態に係わる伸縮可能な安楽ヘッドレスト１００を、側方部材１０６が見えてる状態で、縮んだ位置での右側面図である。側方部材１０６の中央に、ボタン４０２が示されている。このボタン４０２は、トリム４０４により囲まれている。このトリム４０４は、ボタン４０２を安定にしている。対応したボタンとトリムとが、伸縮可能な安楽ヘッドレスト１００の左側の側方部材１０４に設けられている。後述されるようにボタン４０２は、ロック機構を駆動し、側方部材１０６を前方に伸ばす、又は後方に引っ込めることにより、側方部材１０６の位置を使用者が調節することを可能にしている。
【００１３】
図５は、一実施の形態に係わる伸縮可能な安楽ヘッドレスト１００の内部構造を示す上断面図である。この図は、図１の切断線Ａに基づいている。伸縮可能な安楽ヘッドレスト１００の前記前辺２０６は、図５の底側にあり、又、前記後辺２０８は、図５の上側にある。ロック機構５０２は、各側方部材１０４，１０６内に配置されている。このロック機構５０２は、枢支点５０６を中心として回動するピン５０４と、内側摺動壁５０８と、引っ込められたロック位置５１０と、伸ばされたロック位置５１２とを有している。前記両ロック位置は、内側摺動壁５０８に形成されたスロットである。
【００１４】
各側方部材１０４，１０６のためのロック機構５０２は、実質的に同じなので、側方部材１０６内のロック機構５０２が以下に説明される。付勢力(バイアス力)が、ピン５０４を内側摺動壁５０８の方に付勢するようにピン５０４に作用する。この付勢力は、ピン５０４の第１の端部５１４を、図５に示されている引っ込められたロック位置５１０のようなスロットの中にロックさせる。使用者がボタン４０２を押したときに、ボタン４０２は、引っ込んで、ロック機構のピン５０４の第２の端部５１６に力を与える。この結果、ピン５０４は、枢支点５０６を中心として、図に示されているように時計の回転方向に、必ずしもピン５０４は、時計の回転方向に回動される必要は無いけれども、回動される。ボタン４０２によりロック機構５０２に与えられた力は、前記付勢力を打ち消す。同様に、側方部材１０４内のピン５１８は、ボタン４０２が押されたときには、時計の反回転方向に回動される。
【００１５】
ピン５０４が回動するのに従って、ピン５０４の第１の端部５１４は、引っ込められたロック位置５１０から解放される。そして、ピン５０４の第１の端部５１４が、引っ込められたロック位置５１０から解放されたときには、使用者は、側方部材１０６を前方に摺動させることができる。ピン５０４の前記第１の端部５１４が、スロットの外側の内側摺動壁５０８と係合するととぐに、使用者は、もはやボタン４０２を押してピン５０４の第２の端部５１６に力を与える必要がなくなる。このときに、前記付勢力は、ピン５０４の第１の端部５１４を内側摺動壁５０８に押圧させ、第１の端部５１４は、内側摺動壁５０８に沿って摺動するような形態となっている。ピン５０４の第１の端部５１４は、この第１の端部５１４が、新たなロック位置、即ち、伸ばされたロック位置５１２のようなスロットの所に来るまで、内側摺動壁５０８に沿って摺動し続ける。第１の端部５１４が、新たなロック位置、即ち、スロットの所に来ると、前記付勢力は、第１の端部５１４をスロットの中に押し込み、ピン５０４を新たなロック位置の中にロックさせる。
【００１６】
図５は、２つのロック位置を単に示しているけれども、本開示は、これには限定されない。伸縮可能な安楽ヘッドレストは、使用者の好み又は必要性に従って側方部材１０４，１０６の長さを使用者が調節可能なように、複数のロック位置を有し得る。本開示は、また、ロック機構５０２が、中央部分１０２に対して１つ以上のロック位置に側方部材１０４，１０６を使用者がロックさせることができるのであれば、使用されるロック機構の形式に制限されない。
【００１７】
図５は、前記側方部材１０４が中央部分１０２に隣接した側にフォーム５５０を有していることを、更に示している。前記側方部材１０６も同様に、中央部分１０２に隣接した側にフォーム５５２を有している。これらフォーム５５０，５５２は、音の吸収(消音)と物理的なクッション性との両方の機能を有している。これらフォーム５５０，５５２は、側方部材１０４，１０６が伸ばされたときに、静寂と心地良い環境との両方を与える助けをしている。フォーム５５０，５５２は、好ましくは、メラミン樹脂の発泡体であるが、ポリウレタン樹脂の発泡体又はビニル樹脂の発泡体のような他のフォームも使用され得る。
【００１８】
本開示は、使用者が、ボタンを単に押して、側方部材をこれが所定の位置にロックされるまで、前方に伸ばすだけなので、使用者による容易な操作を可能としている。
【００１９】
図６は、側方部材１０４，１０６が伸ばされた位置にある一実施の形態に係わる伸縮可能な安楽ヘッドレスト１００の正面図である。側方部材１０４，１０６は、中央部分１０２の前面を超えるように伸ばされている。側方部材１０４，１０６が完全に伸ばされている状態で、中央部分１０２の幅Ｗ１は、男性の頭のサイズの９５パーセントを収容するのに充分な長さである。しかし、本開示は、これに限定されることはなく、前記幅は、より大きいか小さい頭のサイズを収容するように、前記Ｗ１よりも広くても又狭くても良い。
【００２０】
一方の側方部材の伸び又は引っ込みは、他方の側方部材とは無関係である。使用者は、自身の好み又は必要性に応じて、側方部材の一方又は両方を伸ばすことが可能である。側方部材１０４，１０６の内面６０２は、側方部材が伸ばされたときにのみ露出される。この内面６０２は、使用者を心地良くするパッドを有している。このパッドは、前記フォーム５５０，５５２でも良いし、又、この分野で良く知られている他の材料でも良い。更に、フォームとパッドとの多層も、使用者を心地良くするように使用され得る。
【００２１】
図７は、側方部材１０４，１０６が伸ばされた位置にある、一実施の形態に係わる伸縮可能な安楽ヘッドレスト１００の上面図である。伸縮可能な安楽ヘッドレスト１００の前辺２０６は、図７の底側であり、又、後辺２０８は、図７の上側である。伸ばされた位置での長さＬは、男性の頭のサイズの９５パーセントを収容するのに充分な長さである。しかし、本開示は、これに限定されることはなく、前記長さは、より大きいか小さい頭のサイズを収容するように、前記Ｌよりも長くても又短くても良い。
【００２２】
図８は、側方部材が除去された一実施の形態に係わる伸縮可能な安楽ヘッドレスト１００の中央部分１０２の側面図である。スライダー８０２，８０４が、側方部材１０４に取着されている。これらスライダー８０２，８０４は、チャンネル８０６，８０８内をこれらに沿って夫々移動することにより、中央部分１０２に対する側方部材１０４，１０６の線形の移動を制御する。使用者がピン５０４のロックを解除したときに、使用者は、前記引っ込められたロック位置５１０と伸ばされたロック位置５１２との間で側方部材１０４を移動させることができる。２つのみに限定されることがなく、複数のロック位置、即ちスロットが可能である。また、ピン５０４の前記第１の端部５１４は、使用者がスライダーチャンネル８０６，８０８内のスライダー８０２，８０４の助けにより側方部材１０４を摺動させるのに従って、前記内側摺動壁５０８に沿って摺動する。
【００２３】
前述されたように、伸縮可能な安楽ヘッドレスト１００が、引っ込められた位置に有るときに、ピン５０４は、引っ込められたロック位置５１０の中にロックされている。更に、伸縮可能な安楽ヘッドレスト１００が前方に伸ばされているときには、ピン５０４は、伸ばされたロック位置５１２の中にロックされている。
【００２４】
図８に示されている実施の形態は、２つのスライダーと２つのスライダーチャンネルとを有しているけれども、本開示は、これに限定されるものではない。更なるスライダー及びスライダーチャンネルが、側方部材の線形移動を制御するように加えられ得る。使用されるスライド機構は、この分野で知られている如何なる形式のスライド機構でも良い。
【００２５】
図９は、一実施の形態に係わる伸縮可能な安楽ヘッドレスト１００の側方部材１０４の内部構造を示す側面図である。スライダー８０２，８０４が、切り取られた図から見ることができる。これらスライダー８０２，８０４は、側方部材１０４に取着されており、中央部分１０２のチャンネル８０６，８０８と係合している。領域９０２は、前記ボタン４０２を収容している。
【００２６】
明らかに、本願発明の種々の変更及び変形が、上記技術の観点から可能である。かくして、添付の請求項の範囲内で、本願発明は、ここに特に記載した事項とは異なった方法で実施され得る。
【図１】
2016128315.tif 000003
【図２】
2016128315.tif 000004
【図３】
2016128315.tif 000005
【図４】
2016128315.tif 000006
【図５】
2016128315.tif 000007
【図６】
2016128315.tif 000008
【図７】
2016128315.tif 000009
【図８】
2016128315.tif 000010
【図９】
2016128315.tif 000011
【外国語明細書】
2016128315000001.pdf